(57)【要約】【課題】夜間のドアノブ操作時にのみ点灯するＬＥＤ照明付きドアノブで、室内側から帰宅者に伝言メッセージがドアノブ表面に電光ニュースのような表示機能を有し、アルミダイカストと樹脂の複合体からなるドアノブを提供することにある。【解決手段】ドアの表面側に用い、ＬＥＤ照明と伝言メッセージを表示する電子ディスプレイを装着し、アルミダイカスト製インサートと、合成樹脂の複合体のドアノブ本体と、電源部と操作部と制御回路部を備えたことを特徴とするドアノブである。【選択図】  図２
2015001132.tif 000002
【特許請求の範囲】
【請求項１】
ドアの表面側に操作案内文字を視認可能に表示し、裏面側に表示灯を設けるドアノブにおいて、前記ドアノブを押すかまたは引く等の操作時に前記表示灯が点灯し、所定時間後に消灯し、操作から解放された前記ドアノブは待機状態の中立位置に復帰する機構を内蔵し、この待機状態の中立位置において前記表示灯の点灯が解除され、ドアノブ本体はアルミダイカストと樹脂の複合部材を一体成形して構成されていることを特徴とするドアノブ。
【請求項２】
前記ドアの表面側に突出するように取り付けられ、表面側から「押す」、「ＰＵＳＨ」、または「引く」等の前記操作案内文字を視認可能に表示し、裏面側に前記表示灯として発光素子または電子ディスプレイを表面側に向けて取付け可能な取付け部を設け、前記ドアノブ本体は、裏面側の中心部から後方に向けて突出する支持アームと、この支持アームの後端部近傍に回動中心となる軸孔を有し、回動時に一方または他方の何れかの検知スイッチを作動させ得るように、一方または他方の長めのピンを突出させ、回動した状態から中立の位置に復帰させ、かつ中立位置を保持させるための一方または他方のタル形の復帰ばねを取り付け得る、一方または他方の短めのピンを突出させ、前記支持アームの前記軸孔に前記回動中心軸を支持してなるアルミダイカスト製インサートと、このインサートの表面と側方周囲を覆うように合成樹脂により一体成形の複合体のドアノブ本体として構成され、前記短めのピンに取り付けられるタル形の復帰ばねにより前記待機状態の中立位置に復帰する機構を構成し、裏面側から表面側に向けて光を発するように各々前記発光素子または前記電子ディスプレイを取り付け、電源部と操作部と制御回路部とを備えてなることを特徴とする請求項１記載のドアノブ。
【請求項３】
前記制御回路部に、昼間の太陽光の明るさを検知し、検知している限りはドアノブ操作時には前記発光素子は点灯せず、検知しない夜間にのみ、前記ドアノブの操作時に前記発光素子の点灯が所定時間「ＯＮ」になり、鍵穴を照射可能であることを特徴とする請求項１、２の何れか１項に記載のドアノブ。
【請求項４】
前記発光素子の所定時間の点灯および消灯に連動して前記電子ディスプレイに、例えば、「お帰りなさい、お仕事ご苦労様です。」、または「お疲れ様です、いつもありがとう。」等、前記操作部による伝言メッセージを室内側の家人により選択表示可能であることを特徴とする請求項１〜３の何れか１項に記載のドアノブ。
【請求項５】
アルミダイカストと樹脂の複合部材を一体成形して構成されている前記ドアノブ本体において、樹脂が、透明又は半透明であり且帯電防止剤入りであることを特徴とする請求項１〜４の何れか１項に記載のドアノブ。
【発明の詳細な説明】
【技術分野】
【０００１】
本発明は、鍵の施錠、開錠が短時間で確実にかつ安全になされ、同時に室内側からの伝言メッセージが電光掲示板的に表示されるドアノブに関するものである。
【背景技術】
【０００２】
従来、ドアノブは、ドアと一体的に取り付けられてドアを開閉させるための取っ手であり、ノブを回転または押す或いは引く動作によってドアが開く構造になっている。夜間においては、ドアノブにドアノブ視認用のＬＥＤを設置した発光設備やドアの鍵穴を表示、もしくは照明するＬＥＤを設置した発光設備がある。これに関連する公知技術として特許文献１を挙げることが出来る。また、ドアノブ近傍に、人の存否を検出する赤外線センサーとドアノブ周辺の照度を検出する照度センサーとを有するドアノブ照明装置を設け、ドア前の人の検出とドア周囲の明るさが足りないとき、ドアノブ照明装置を点灯する装置がある。これに関連する公知技術として特許文献２を挙げることが出来る。また、ドアノブ装置のロックボタンが操作されることにより、室内が使用状態であることを、外部に知らせるために、外部側のドアノブに表示灯を設けたもの（表示灯付きのドアノブ装置の例）が、特許文献３に示されている。
【０００３】
すなわち、本願発明に関連する公知技術として次の特許文献１、特許文献２及び特許文献３を挙げることが出来る。
【先行技術文献】
【特許文献】
【０００４】
【特許文献１】特開２００１―１４７６５７号公報（第２―６頁、第８―９頁、図２０、図２１）
【特許文献２】特開平１０−１０８７５１号公報（第２―３頁、図１、図２、図５）
【特許文献３】登録実用新案公報第３０４５８８６号公報（第２頁、第４頁、第７―８頁、図１）
【発明の概要】
【発明が解決しようとする課題】
【０００５】
上述の如く、従来技術に係るドアノブにおいて、ドアノブ近傍に設けられた鍵穴に鍵を差込み施解錠する場合には、短時間に確実にかつ安全に操作できるように照明装置がドアノブの一部に、或いはドアノブとは別の箇所、例えば玄関側に設けられており、夜間のある時間帯に常時点灯している。しかし、夜間の照明装置は施解錠時のみ必要で、常時点灯する必要性はなく電気のムダ使いになる。また、夜間外出先から帰宅する家人を迎える伝言メッセージが電光掲示板的に表示される機能を有するドアノブ又はドアノブ周辺機器は見当たらない。また、ドアノブの材質としては強度と耐久性からもダイカストが一般的であるが、ダイカストはアルミまたは亜鉛が素材になっており、ドア或いは玄関周りのデザインやカラフルな色調に合わないという不具合があった。この改善策としてはダイカスト表面に塗装を施し、周囲の色調に合わせることも行われているが、塗装などの後処理工程が必要となり、コスト高になるという問題があった。
【０００６】
本発明は、このような点に鑑みてなされたものであり、その目的は、夜間のドアノブ操作時にのみ点灯し、施解錠操作を確実にしかも安全になし得るＬＥＤ照明付きドアノブにして、室内側から帰宅者を迎え入れる伝言メッセージがドアノブ操作時にドアノブ表面に電光ニュースのような表示機能（電子ディスプレイ、例えば、蛍光表示管等）を有し、ドアノブ周辺機器の色調に選択的に合わせることが可能な樹脂を表面に施し、強度を受け持つアルミダイカストをインサートとし、成形（すなわち、アルミダイカストと樹脂の一体成形の複合体のドアノブ本体を備えて）で構成されるドアノブを提供することにある。
【課題を解決するための手段】
【０００７】
上述の目的を達成するために本発明の手段１では、（１）：ドア２の表面側に操作案内文字１５ａを視認可能に表示し、裏面側に表示灯３５を設けるドアノブ１０において、前記ドアノブ１０を押すかまたは引く等の操作時に前記表示灯３５が点灯し、所定時間後に消灯し、操作から解放された前記ドアノブ１０は待機状態の中立位置に復帰する機構を内蔵し、この待機状態の中立位置において前記表示灯３５の点灯が解除され、ドアノブ本体１１はアルミダイカスト１３と樹脂１４の複合部材を一体成形して構成されていることを特徴とするドアノブ１０であり、本発明の手段２では、（２）：前記ドア２の表面側に突出するように取り付けられ、表面側から「押す」、「ＰＵＳＨ」、または「引く」等の前記操作案内文字１５ａを視認可能に表示し、裏面側に前記表示灯として発光素子３５または電子ディスプレイ３８を表面側に向けて取付け可能な取付け部１４ｂ，１４ｃを設け、前記ドアノブ本体１１は、裏面側の中心部から後方に向けて突出する支持アーム１６と、この支持アーム１６の後端部近傍に回動中心となる軸孔１６ａを有し、回動時に一方または他方の何れかの検知スイッチ２６ａ、２６ｂを作動させ得るように、一方または他方の長めのピン１８，１９を突出させ、回動した状態から中立の位置に復帰させ、かつ中立位置を保持させるための一方または他方のタル形の復帰ばね２８ａ、２８ｂを取り付け得る、一方または他方の短めのピン２１，２２を突出させ、前記支持アーム１６の前記軸孔１６ａに回動中心軸３２を支持してなるアルミダイカスト製インサート１３と、このインサート１３の表面と側方周囲を覆うように合成樹脂１４により一体成形の複合体のドアノブ本体１１として構成され、前記短めのピン２１，２２に取り付けられるタル形の復帰ばね２８ａ、２８ｂにより前記待機状態の中立位置に復帰する機構を構成し、裏面側から表面側に向けて光を発するように各々前記発光素子３５または前記電子ディスプレイ３８を取り付け、電源部７０と操作部７５と制御回路部４１とを備えてなることを特徴とする手段１に記載のドアノブ１０である。
【０００８】
そして、本発明の手段３では、（３）：制御回路部４１に、昼間の太陽光の明るさを検知し、検知している限りはドアノブ１０の操作時には前記発光素子３５は点灯せず、検知しない夜間にのみ、ドアノブ１０の操作時に発光素子３５の点灯が所定時間「ＯＮ」になり、鍵穴８ａを照射可能であることを特徴とする手段１、２の何れか１の手段に記載のドアノブ１０である。
本発明の手段４では、（４）：前記発光素子３５の所定時間の点灯および消灯に連動して前記電子ディスプレイ３８に、例えば、「お帰りなさい、お仕事ご苦労様です。」、または「お疲れ様です、いつもありがとう。」等の伝言メッセージを、室内側の家人により操作選択表示可能である、操作部７５を備えたことを特徴とする手段１〜３の何れか１の手段に記載のドアノブ１０である。本発明の手段５では、（５）：アルミダイカスト１３と樹脂１４の複合部材を一体成形して構成されている前記ドアノブ本体１１において、樹脂１４が、透明又は半透明であり且帯電防止剤入りであることを特徴とする請求項１〜４の何れか１の手段に記載のドアノブ１０である。
【発明の効果】
【０００９】
以上説明したように本発明の請求項１、２によれば、ドアノブは、アルミダイカストと合成樹脂の複合体で形成され、ドアノブの強度と耐久性は保証され、防犯にもつながると同時に、合成樹脂のカラーバリエーションを選択できることにより、ドアノブ周辺のデザインと外観に合わせたドアノブが提供可能となる。また、ドアノブは、アルミダイカストと合成樹脂の複合体で、樹脂成形金型内で一体成形され、アルミダイカストの表面に塗装等の後処理加工が必要なくなり、安価に製造される。
本発明の請求項３によれば、前記請求項１、２の効果を有すると共に、昼間の太陽光の明るさを検知して、検知している限りはドアノブ操作時には前記発光素子は点灯せず、検知しない夜間においてのみ、ドアノブ操作時にＬＥＤ照明回路が「ＯＮ」になり、ドアノブに一体に組み込まれたＬＥＤ照明が一定時間点灯し、ドアノブ近傍に設けられた鍵穴の位置を短時間で探り当てることができ、ドアの施解錠を確実にすることが可能となると共に点灯時間を制御することにより省エネルギーが達成される。
そして、本発明の請求項４によれば、前記請求項１〜３の効果を有する上に、更に、室内側にいる家人の思いが伝言メッセージとして、ドアノブ表面の電子ディスプレイに表示され、夜間の帰宅を暖かい照明と伝言メッセージで迎え入れることが可能である。
そして、本発明の請求項５によれば、前記請求項１〜４の効果を有する上に、更に、ドアノブ１０は、アルミダイカスト１３と樹脂１４の複合部材を一体成形して構成されている前記ドアノブ本体１１を備えており、更に、その樹脂１４が、透明又は半透明であり且帯電防止剤入りであることを特徴とするから、ドアノブ１０の操作時に、夜間は美しく、手指に対する不快な静電気による放電がなく、安心して操作できるドアノブ１０で快適である。
【図面の簡単な説明】
【００１０】
【図１】本発明に係るドアノブを備えたドアの正面図である。
【図２】図２（ａ）は、本発明に係るドアノブの正面図であり、図２（ｂ）は、本発明に係るドアノブの右面図（一部断面）である。
【図３】図３（ａ）は、本発明に係るドアノブ本体の正面図であり、図３（ｂ）は、本発明に係るドアノブ本体の右側面図であり、図３（ｃ）は、本発明に係るドアノブ本体の上側面図である。
【図４】本発明に係るドアノブの背面図である。
【図５】図５（ａ）は、本発明に係るドアノブの待機状態を示す右側面図（一部断面）の要部を表し、図５（ｂ）は、本発明に係るドアノブが、下方に押下されて、下方に回動傾斜した状態を示す右側面図（一部断面）の要部を表し、図５（ｃ）は、本発明に係るドアノブが、上方に押下されて、上方に回動傾斜した状態を示す右側面図（一部断面）の要部を表す。
【図６】は、本発明に係るドアノブが、上方に押下されて、上方に回動傾斜した状態で、ラッチボルトが動作される、一例の説明のためのイメージ斜視図である。
【図７】本発明に係るドアノブの電気配線図である。
【発明を実施するための形態】
【００１１】
以下、本発明の実施例を、図面を参照しながら詳細に説明する。
【実施例１】
【００１２】
図１を参照すると、玄関柱の縦枠１に、ドア２が閉められている。このドア２の表面側に突出するように取り付けられているドアノブ１０を、その表面側から視認可能に表示されている
「押す」、「ＰＵＳＨ」、または「引く」等の操作案内文字１５に従い、このドアノブ１０を、押すことにより、後述するようにラッチボルト５０（図示せず）を引っ込めることができる。
ドアノブ１０から押圧する手指を離せば、タル形圧縮コイルばねである復帰ばね２８の作用により、ドアノブ１０は、回動した状態から待機状態の中立位置に復帰し、かつ中立位置を保持した状態に戻る。夜間では、発光素子３５点灯による照明の広がりや、電子ディスプレイ３８による伝言メッセージが視認できて帰宅時の安堵感を確認できてよい。
【００１３】
図３（ａ）、図３（ｂ）、図３（ｃ）を参照すると、ドアノブ本体１１は、アルミダイカスト製インサート１３と、このアルミダイカスト製インサート１３の表面と側方周囲を覆うように合成樹脂部１４により一体成形の複合体として成形されている。前記アルミダイカスト製インサート１３は、長方形板材部１５の表面側の上端部近傍に「押す」、「ＰＵＳＨ」、または「引く」等の操作案内文字１５ａを浮き出させて設け、前記長方形板材部１５の裏面側の略中央部の縦方向であって、左右並列で後方に向けて突出する支持アーム１６、１６と、この支持アーム１６、１６の後端部近傍を左右に貫通し、回動中心軸３２が枢支する軸孔１６ａを設け、前記長方形板材部１５の裏面側の上端部近傍に、一方の長めのピン１８と、裏面側の下端部近傍に、他方の長めのピン１９とを設け、前記支持アーム１６、１６と前記一方の長めのピン１８との略中間部に一方の短めのピン２１と、同様に、前記支持アーム１６、１６と前記他方の長めのピン１９との略中間部に一方の短めのピン２２とを各々設け、更に、前記一方の短めのピン２２の下方部位に左右方向に長方形の電子ディスプレイ用窓孔部２３を設けている。
そして、このインサート１３の表面と側方周囲を覆うように合成樹脂部１４により一体成形の複合体のドアノブ本体１１を成形し、この合成樹脂部１４の四辺に沿う表面に梨地などの浅い凹凸をつける加工であるエンボッシング１４を施してあり、裏面に発光素子取付け部１４ｂと電子ディスプレイ取付け部１４ｃが設けてある。（図３（ａ）と図４参照）。更に、アルミダイカスト１３と樹脂１４の複合部材を一体成形して構成されている前記ドアノブ本体１１を備えており、更に、その樹脂１４が、透明又は半透明であり且帯電防止剤入りであることを特徴とするから、ドアノブ１０の操作時に、夜間は美しく、手指に対する不快な静電気による放電がなく、安心して操作できるドアノブ１０で快適である。
【００１４】
図５（ａ）は、図２（ｂ）実線状態のドアノブ１０が中立の位置と同一状態を示す。すなわち、錠前６（図示せず）のシリンダ８の鍵穴８ａに合う鍵７（図示せず）にて引き込ませることができるデッドボルト９とドアノブ１０の回動により引き込ませせることができるラッチボルト５０が突出している状態（施錠状態）である。錠前６（図示せず）のシリンダ８の鍵穴８ａに合う鍵７等の技術は、従来使用されている技術と同様であり、その詳細説明は省略する。
【００１５】
図２（ａ）、図２（ｂ）、図５（ａ）を参照して、ドアノブ１０は、発光素子３５として砲弾形ＬＥＤを四隅の発光素子取付け部１４ｂに取付け、同様に、電子ディスプレイ３８を蛍光表示管または平板形ＬＥＤを電子ディスプレイ取付け部１４ｃに取付けて、図７の電気配線図に従い配線をする。ドアノブ本体１１の支持アーム１６、１６の間に駆動アーム５２の突出部５２ａを挟んで、各々軸孔１６ａ，軸孔５２ｂ、軸孔１６ａの軸心をそろえて、支持ブラケット３０の両端部の軸孔３０ａ、３０ａの間に位置させて、回動中心軸３２を嵌入させて、支持ブラケット３０の端部をドアノブ取付板１２に、ねじ３０ｂにて取り付ける。その時までに、一方の復帰ばね２８ａの一端を、一方のピン２１に取付け、同様に、他方の復帰ばね２８ｂの一端を、他方のピン２２に取付けて置き、ドア表側板３の一方のリベット穴３ｄに挿入固着した一方のリベット３ｆの突出部に、前記一方の復帰ばねの他端部を挿入し、同様に、ドア表側板３の他方のリベット穴３ｅに挿入固着した他方のリベット３ｇの突出部に、前記他方の復帰ばね２８ｂの他端部を挿入する。そして、一方のアクチュエータ付き検知スイッチ２６ａと他方のアクチュエータ付き検知スイッチ２６ｂとリレーを含む制御回路部４１とを組み付け配線図７により配線済にして、ドアノブ取付板１２にそれぞれ取り付けたものを、ドア裏側板４に、前記ドアノブ取付板１２をねじ１２ａにて取り付ける。
【００１６】
この時に、一方のアクチュエータ付き検知スイッチ２６ａのアクチュエータ部分が、一方のアクチュエータ用孔３ｂに臨接しており、ドアノブ１０の上方部が手指にて押下されると、一方の長めのピンにて一方のアクチュエータ付き検知スイッチ２６ａが押下され得る状況である（図５（ｃ）参照）。
また、他方のアクチュエータ付き検知スイッチ２６ｂのアクチュエータ部分が、他方のアクチュエータ用孔３ｃに臨接しており、ドアノブ１０の下方部が手指にて押下されると、他方の長めのピンにて他方のアクチュエータ付き検知スイッチ２６ｂが押下され得る状況である（図５（ｂ）参照）。
このドアノブ１０の組み付け時に、ドア表側板３の四角孔に支持ブラケット３０を通し、駆動アーム５２の突出部５２ａの軸孔５２ｂと、支持アーム１６，１６の軸孔１６ａ、１６ａに、支持ブラケット３０の両立ち上がり部の軸孔３０ａ、３０ａに回動中心軸３２を挿通させて、Ｅ形止め輪にて抜け止めを施す作業が、手間取ると予想されるが不可能ではない。回動中心軸３２を割りピン等にすれば、作業性は改善される。
【実施例２】
【００１７】
図１、図５を参照すると、リレーを含む制御回路部４１により、昼間の太陽光の明るさを検知し、検知している限りはドアノブ操作時には前記発光素子は点灯せず、検知しない夜間にのみ、ドアノブ１０の操作時に発光素子３５の点灯が所定時間「ＯＮ」になり、鍵穴８ａを照射可能であるドアノブ１０である。そして、このドア２は、錠前６（図示せず）とセットになっている鍵７（図示せず）をシリンダ８の鍵穴８ａに挿入して回動させることによりデッドボルト９（図示せず）を引っ込めることにより開錠し、再度、ドアノブ１０を操作することにより、錠前６を開錠させて、ドア２を開けることができる。そして、ドアノブ１０は、本発明では、前記発光素子３５の所定時間の点灯および消灯に連動して前記電子ディスプレイ３８に、例えば、「お帰りなさい、お仕事ご苦労様です。」、または「お疲れ様です、いつもありがとう。」等、操作部７５による伝言メッセージを室内側の家人により選択表示可能である。
【実施例３】
【００１８】
図６は、ドア表側板３を破断して、ラッチボルト５０の動作のイメージ斜視図である。図２（ｂ）、図５（ｃ）も参照して、ドアノブ１０が、手指にて上方部を押下した場合に、回動中心軸３２に枢支されているドアノブ１０は、一方の長めのピン１８にて一方のアクチュエータ付き検知スイッチ２６ａが押下され得る状況である。それと同時に、駆動アーム５２が、白抜き矢印５３ａ方向に回動すると、軸部材５４ａにより軸受部材にて回動自在に支承されている略Ｌ字状レバー５４が、被押下レバー部５４ｂにて矢印５５ａ方向に回動されるために押動側レバー部５４ｃも矢印５５ａ方向に移動するために、前後の支持部材に支承されている頭付きクランク状棒部材５６が、圧縮コイルばね５８の反発力に抗して矢印５９ａ方向に移動させる。これにより、回動中心孔６１ａにて段付きリベット６３により支持ブラケット６２上で、回動自在に枢支されている搖動アーム６１の一端が、矢印６４ａの時計方向に回動し、この搖動アーム６１の他端が、凹部溝５０ａを介してコイルばね５０ｂの反発力に抗して矢印５０ｃの左方にラッチボルトを引き込ませる。夜間では、ドアノブ１０の操作時に発光素子３５の点灯が所定時間「ＯＮ」になり、前記電子ディスプレイに、例えば、「お帰りなさい、お仕事ご苦労様です。」、または「お疲れ様です、いつもありがとう。」等、操作部による伝言メッセージを室内側の家人により用意されていて帰宅した安心感が得られる。図５（ｂ）、図５（ｃ）に示される３６ａ，３９ａは、太陽光を検知しない夜間にのみ、ドアノブ１０の操作時に発光素子３５、電子ディスプレイ３８等の点灯時の光線の広がりをイメージしたものである。上方への光線の広がり３６ａと下方への光線の広がり３９ａとしている。そして、ドアノブ１０から、手指を離せば、ラッチボルト５０はコイルばね５０ｂの反発力で点線矢印方向に戻る。
【００１９】
次に、図５（ｂ）のように、ドアノブ１０が、手指により下方向に押下した場合、図６を参照すると、駆動アーム５２が、回動中心軸３２に枢支されているドアノブ１０は、他方の長めのピン１９にて一方のアクチュエータ付き検知スイッチ２６ｂが押下され得る状況である。それと同時に、駆動アーム５２が、黒矢印５３ｂ方向に回動すると、軸部材６６ａにより軸受部材にて回動自在に支承されている略Ｌ字状レバー６６が、被押下レバー部６６ｂにて矢印６７ａ方向に回動されるために押動側レバー部６６ｃも矢印６７ａ方向に移動する。これにより、略Ｌ字状レバー５４が、押動側レバー部５４ｃを背後から矢印５５ａ方向に移動させるために、前後の支持部材に支承されている頭付きクランク状棒部材５６が、圧縮コイルばね５８の反発力に抗して矢印５９ａ方向に移動させる。これにより、回動中心孔６１ａにて段付きリベット６３により支持ブラケット６２上で、回動自在に枢支されている搖動アーム６１の一端が、矢印６４ａの時計方向に回動し、この搖動アーム６１の他端が、凹部溝５０ａを介してコイルばね５０ｂの反発力に抗して矢印５０ｃの左方にラッチボルトを引き込ませる。夜間では、ドアノブ１０の操作時に発光素子３５の点灯が所定時間「ＯＮ」になり、前記電子ディスプレイに、例えば、「お帰りなさい、お仕事ご苦労様です。」、または「お疲れ様です、いつもありがとう。」等、操作部による伝言メッセージを室内側の家人により用意されていて帰宅した安心感が得られる。
ドアノブ１０から、手指を離せば、ラッチボルト５０はコイルばね５０ｂの反発力で点線矢印方向に戻る。
【００２０】
以上、本発明の実施の形態を説明したが、本発明の範囲は、これに限定されるものではなく、本発明の要旨を逸脱しない範囲内において種々変更を加え得ることは勿論である。
【産業上の利用可能性】
【００２１】
本発明は、錠前メーカやドアノブメーカ、戸建住宅、マンション等の住宅関連産業で利用される。
【符号の説明】
【００２２】
１  玄関柱の縦枠、  ２  ドア、  ３  ドア表側板、  ４  ドア裏側板、  ６  錠前  
８  シリンダ、  ９  デッドボルト、  １０  ドアノブ、  １１  ドアノブ本体、
１２  ドアノブ取付板、  １３  アルミダイカストインサート、  １４  一体成形樹脂部、
１６  支持アーム、  １８  一方の長めのピン、  １９  他方の長めのピン、
２１  片方の短めのピン、  ２２  他方の短めのピン、  ２３  電子ディスプレイ用窓孔部、
２６ａ  第１のアクチュエータ付き検知スイッチ、  ２６ｂ  第２のアクチュエータ付き検知スイッチ、  ２８ａ  第１のタル形圧縮コイルばね、２８ｂ  第１のタル形圧縮コイルばね、
３０  支持ブラケット、  ３０ａ  軸孔、  ３２  回動中心軸、  ３５  発光素子、
３８  電子ディスプレイ、  ４１  制御回路部（りれーを含む）、  ４６  サムターン、
４８  室内側ドアレバー、  ５０  ラッチボルト、  ５２  駆動アーム、  ５４  Ｌ字状レバー、  ５６  クランク状棒部材、５８  圧縮コイルばね、６１  搖動アーム、  ６２  支持ブラケット、  ６３  頭付きの段付きリベット、７０  電源部、７５  操作部。
【図１】
2015001132.tif 000003
【図２】
2015001132.tif 000004
【図３】
2015001132.tif 000005
【図４】
2015001132.tif 000006
【図５】
2015001132.tif 000007
【図６】
2015001132.tif 000008
【図７】
2015001132.tif 000009